(57)【要約】  【課題】筐体の外観意匠を変更することなく、放音部が水で塞がれることを防止すること。  【解決手段】本発明にかかる筐体構造は、内部に収容された発音手段から発せられた音を通過させる複数の放音孔を開口させた放音部を有する筐体構造において、前記各放音孔の内面側の開口部分を拡径させて前記放音孔に進入した水を集水して蓄え得る貯水部をそれぞれ設けた構成とし、前記貯水部と、当該筐体の通常の使用状態において下方向に隣接する他の放音孔と、を連通する誘導溝を、当該筐体の内面に設け、前記誘導溝は、当該筐体の通常の使用状態において上下方向に隣接する少なくとも２つの放音孔に設けたそれぞれの貯水部を連通する誘導溝とし、さらに、前記貯水部は、当該筐体の通常の使用状態において横方向に隣接する少なくとも２つの放音孔に設けたそれぞれの貯水部を連通している。【選択図】      図３
2006101287.tif 000002
【特許請求の範囲】
【請求項１】
内部に収容された発音手段から発せられた音を通過させる複数の放音孔を開口させた放音部を有する筐体構造において、
前記放音部の内面側で前記放音孔に連通し、前記放音孔に進入した水を集水して蓄え得る貯水部を設けたことを特徴とする筐体構造。
【請求項２】
前記貯水部と、当該筐体の通常の使用状態において下方向に隣接する他の放音孔と、を連通する誘導溝を、当該筐体の内面側に設けたことを特徴とする請求項１に記載の筐体構造。
【請求項３】
前記誘導溝は、当該筐体の通常の使用状態において上下方向に隣接する少なくとも２つの放音孔に設けたそれぞれの貯水部を連通する誘導溝としたことを特徴とする請求項２に記載の筐体構造。
【請求項４】
前記貯水部は、当該筐体の通常の使用状態において横方向に隣接する少なくとも２つの放音孔に設けたそれぞれの貯水部を連通していることを特徴とする請求項１、２、３の何れか１項に記載の筐体構造。
【発明の詳細な説明】
【技術分野】
【０００１】
本発明は、内部に収容された発音手段から発せられた音を通過させる複数の放音孔を開口させた放音部を有する筐体、特には無線通信機等に利用される筐体構造に関するものである。
【背景技術】
【０００２】
無線通信機に利用される筐体の内部では、発音手段としてのスピーカと、筐体に形成されたスピーカ領域とがスピーカネットを介して対向するように配置されている。
図９に示すように、筐体のスピーカ領域100は、内部に配置されたスピーカから発せられた音を通過させる複数の放音孔101を開口させて形成されるものであり、スピーカから発せられた音は前記放音孔101の放音孔を通過して筐体の外部へ伝わるように構成されている。
この種の無線通信機を船上や海辺といった水際で使用する場合、筐体の水がかかり、放音孔101に水が流れ込むことがある。図１０に示すように、放音孔101に流れ込んだ水120はスピーカネット102に阻まれて、そのまま放音孔101に留まる。
このような場合、放音孔101は水120で塞がれた状態となり、スピーカから発せられた音は筐体の外部への経路を確保することができないから、スピーカ領域100から外部へ出力される音の音質は低下して聞き取りにくくなる。
また、水120は放音孔101に付着するので、筐体をゆすっても、水120は筐体外部に排水されない。
このような不具合に対処するために、筐体内部に進入した水を誘導する誘導溝を筐体の裏面に設け、進入した水を誘導溝を介して排水口に導く手段を設けた構成が、特許文献１で提案されている。
【０００３】
【特許文献１】特開2004-193291号公報
【発明の開示】
【発明が解決しようとする課題】
【０００４】
しかしながら、特許文献１に記載されたような構成を実現するには、放音部の下部に排水口を設ける必要があり、筐体の外観意匠を変更することとなり、筐体の設計が制約を受けるという別の不具合が生じる。
【０００５】
そこで、本発明は、上述した課題に鑑みてなされたものであり、筐体の外観意匠を変更することなく、放音部が水で塞がれることを防止することを目的としてなされたものである。
【課題を解決するための手段】
【０００６】
本発明にかかる請求項１の筐体構造は、
内部に収容された発音手段から発せられた音を通過させる複数の放音孔を開口させた放音部を有する筐体構造において、
前記放音部の内面側で前記放音孔に連通し、前記放音孔に進入した水を集水して蓄え得る貯水部を設けたことを特徴としている。
請求項２の筐体構造は、
前記貯水部と、当該筐体の通常の使用状態において下方向に隣接する他の放音孔と、を連通する誘導溝を、当該筐体の内面側に設けたことを特徴としている。
請求項３の筐体構造においては、
前記誘導溝は、当該筐体の通常の使用状態において上下方向に隣接する少なくとも２つの放音孔に設けたそれぞれの貯水部を連通する誘導溝とした。
請求項４の筐体構造のおいては、
前記貯水部は、当該筐体の通常の使用状態において横方向に隣接する少なくとも２つの放音孔に設けたそれぞれの貯水部を連通している。
【発明の効果】
【０００７】
本発明の請求項１の筐体構造によれば、
内部に収容された発音手段から発せられた音を通過させる複数の放音孔を開口させた放音部を有する筐体構造において、
前記放音部の内面側で前記放音孔に連通し、前記放音孔に進入した水を集水して蓄え得る貯水部を設けて、放音孔に進入した水が貯水部に蓄えられるように構成したので、放音孔は塞がれにくい。
請求項２によれば、前記貯水部と、当該筐体の通常の使用状態において下方向に隣接する他の放音孔と、を連通する誘導溝を、当該筐体の内面側に設けることにより、貯水部に蓄えられた水は、前記誘導溝を通って下方の放音孔へ導かれるように構成したので、上方の放音孔はさらに塞がれにくくなる。
請求項３によれば、前記誘導溝は、当該筐体の通常の使用状態において上下方向に隣接する少なくとも２つの放音孔に設けたそれぞれの貯水部を連通する溝とすることによって、上方の水は誘導溝を通って順次下方の貯水部へ誘導されるので、上方の放音孔はさらに塞がれにくくなる。
請求項４によれば、前記貯水部は、当該筐体の通常の使用状態において横方向に隣接する少なくとも２つの放音孔に設けたそれぞれの貯水部を連通することによって、横方向の水も集水されて液滴が大きくなりやすくしたので、自重で下方へ落ちて排水されやすい。
【発明を実施するための最良の形態】
【０００８】
本発明を実施するための最良の形態は、内部に収容された発音手段から発せられた音を通過させる複数の放音孔を開口させた放音部を有する筐体構造において、前記放音部の内面側で前記放音孔に連通し、前記放音孔に進入した水を集水して蓄え得る貯水部を設けた構成とするものである。そして、前記貯水部と、当該筐体の通常の使用状態において下方向に隣接する他の放音孔と、を連通する誘導溝を、当該筐体の内面側に設け、前記誘導溝は、当該筐体の通常の使用状態において上下方向に隣接する少なくとも２つの放音孔に設けたそれぞれの貯水部を連通する誘導溝とし、さらに、前記貯水部は、当該筐体の通常の使用状態において横方向に隣接する少なくとも２つの放音孔に設けたそれぞれの貯水部を連通している。
具体的には、以下の実施例の通りである。
【実施例１】
【０００９】
実施例１の筐体構造は、無線通信機に利用されるものであり、筐体の正面の一部には放音部であるスピーカ領域が設けられている。
図１は実施例１の筐体構造の要部の正面図、図２はその側面断面図、図３はその内面を筐体の内面側から見た図、図４の（ａ）は図３のＡ−Ａ線断面図、図４の（ｂ）は図３のＢ−Ｂ線断面図である。
図１において、１は筐体、10は前記筐体１に形成されたスピーカ領域である。
図２において、２は筐体１のスピーカ領域10の内面側に向かい合うように配設されたスピーカ、３は筐体１の内部に配設され、アンテナで受信された電波を復調する回路が組み込まれた基板である。４は筐体１のスピーカ領域10の内面側とスピーカ２との間に配設されたスピーカネットである。
【００１０】
以下に、図３を参照して、スピーカ領域10の構造を説明する。
スピーカ領域10には、第１の放音孔11Ａ、第２の放音孔11Ｂ、第３の放音孔11Ｃ、第４の放音孔11Ｄがそれぞれ形成されている。
放音孔11Ａ〜11Ｄは、いずれも横長に開口した通孔であり、図２に示したスピーカ２から発せられた音は、これらの放音孔11Ａ〜11Ｄを通過して筐体１の外部へ伝わる。
【００１１】
さらに、スピーカ領域10は、第１の放音孔11Ａの上方に位置する第１領域12Ａ、第１の放音孔11Ａと第２の放音孔11Ｂで仕切られる第２領域12Ｂ、第２の放音孔11Ｂと第３の放音孔11Ｃで仕切られる第３領域12Ｃ、第３の放音孔11Ｃと第４の放音孔11Ｄで仕切られる第４領域12Ｄ、第４の放音孔11Ｄの下方に位置する第５領域12Ｅに区分される。
なお、ここでいう、上、下、横の各方向は、無線通信機を通常の方法で使用した場合の位置を基準とした方向を示している。
【００１２】
第１領域12Ａには第１の貯水溝13Ａが形成されている。この第１の貯水溝13Ａは、第１の放音孔11Ａの上方で横方向に延び、第１の放音孔11Ａに接するように筐体１のスピーカ領域10の内面側に形成されたものである。
第２領域12Ｂには第２の貯水溝13Ｂが形成されている。この第２の貯水溝13Ｂは、第２の放音孔11Ｂの上方で横方向に延び、第２の放音孔11Ｂに接するように筐体１のスピーカ領域10の内面側に形成されたものである。
同様にして、第３領域12Ｃ、第４領域12Ｄには、それぞれ第３の貯水溝13Ｃ、第４の貯水溝13Ｄが形成されている。
第１の貯水溝13Ａと同様に、第３の貯水溝13Ｃ、第４の貯水溝13Ｄは、それぞれ第３の放音孔11Ｃ、第４の放音孔11Ｄの上方で横方向に延び、各放音孔に接するように筐体１のスピーカ領域10の内面側に形成されたものである。
貯水溝13Ａ，13Ｂ，13Ｃ，13Ｄの領域は図３において斜線で示した。
なお、これらの貯水溝13Ａ，13Ｂ，13Ｃ，13Ｄは特許請求の範囲に記載された貯水部に相当する構成である。
【００１３】
第２領域12Ｂには、第１の放音孔11Ａと第２の貯水溝13Ｂとを縦方向に連通する第１の誘導溝14Ａが複数形成されている。
同様に、第３領域12Ｃ、第４領域12Ｄには、それぞれ第２の誘導溝14Ｂ、第３の誘導溝14Ｃが形成されている。
第１の誘導溝14Ａと同様に、第２の誘導溝14Ｂは第２の放音孔11Ｂと第３の貯水溝13Ｃを連通するように形成され、第３の誘導溝14Ｃは第３の放音孔11Ｃと第４の貯水溝13Ｄを連通するように形成されている。
第１の誘導溝14Ａ、第２の誘導溝14Ｂ、第３の誘導溝14Ｃは、第２の貯水溝13Ｂ、第２の放音孔11Ｂ、第３の貯水溝13Ｃ、第３の放音孔11Ｃを挟んで縦方向に連続するように形成されている。
誘導溝14Ａ，14Ｂ，14Ｃの領域は図３において斜線で示した。
【００１４】
以上の構造によって、スピーカ領域10の最上部に位置する放音孔11Ａから、スピーカ領域10の最下部に位置する第４の放音孔11Ｄまでは、第１の誘導溝14Ａ、第２の誘導溝14Ｂ、および第３の誘導溝14Ｃによって連結されている。
図４の（ａ）に示したように、第１の貯水溝13Ａ、第２の貯水溝13Ｂ、第３の貯水溝13Ｃ、第４の貯水溝13Ｄ、第１の誘導溝14Ａ、第2の誘導溝14Ｂ、および第3の誘導溝14Ｃが設けられた部分には、スピーカ領域10の内面(裏側)とスピーカネット４との間に隙間が形成されている。
図４の（ｂ）に示したように、各貯水溝13Ａ〜13Ｃ、各誘導溝14Ａ〜14Ｃ、各放音孔11Ａ〜11Ｄの何れも形成されていないスピーカ領域10の内面は、スピーカネット４に接している。
スピーカ領域10の一部の断面斜視図を図５に示した。
図４、５に示したように、筐体１のスピーカ領域10の内面(裏側)を基準にすると、各貯水溝13Ａ〜13Ｄは各誘導溝14Ａ〜14Ｃよりも深くなるよう（筐体１の外側に向かって深くなるように）に形成されている。
【００１５】
前記筐体１は以上の構成を備えているので、第１の放音孔11Ａに進入した水は、さらに第１の貯水溝13Ａに流れ込んで集まる。そこで、液滴となって貯水溝13Ａ内に付着した状態で留まる。このようにして第１の貯水溝13Ａに留まっている液滴は、表面張力により第１の放音孔11Ａから進入する水を引き寄せてさらに大きな液滴に成長する。このようにして大きくなった液滴の重さが、付着力より大きくなると、液滴は第１の貯水溝13Ａに留まることができず、自重によって第１の誘導溝14Ａに流れ落ちる。そして、第２の貯水溝13Ｂに至り、さらに第２の貯水溝13Ｂを横切り、第２の誘導溝14Ｂを流れ落ちて、第３の貯水溝13Ｃを横切り、第４の放音孔11Ｄに到達して排水される。つまり、第４の放音孔11Ｄが排水口の役目を果たすのである。
【００１６】
第１の貯水溝13Ａの液滴が排水されるのは、第４の放音孔11Ｄに限定されるものではなく、上述した流路の途中に位置する第１の放音孔11Ａ、第２の放音孔11Ｂ、または第３の放音孔11Ｃのいずれからでも排水され得る。従って、第１の貯水溝13Ａに溜まった水にとっては、４つの放音孔11Ａ,11Ｂ,11Ｃ,11Ｄが排水口として機能する。すなわち、液滴がたまる第１の貯水溝13Ａより下方であれば、いずれの放音孔11Ａ,11Ｂ,11Ｃ,11Ｄも排水口として機能するのである。
なお、液滴が自重で流れ落ちない場合には、筐体１を上下に揺するだけで溜まった液滴は排水することができる。
【００１７】
実施例２の筐体構造を図６に示した。誘導溝は、最上部に配置された放音孔11Ａから最下部に配置された放音孔11Ｄまで連続するものに限定されるものではないので、図６に示したように、上部の２つの放音孔11Ａ、11Ｂを連通する誘導溝34Ａと、下部の２つの放音孔11Ｃ、11Ｄを連通する誘導溝34Ｂとに分割構成してもよい。この場合には、実施例１に比較して筐体のスピーカ領域10の強度が増すという効果が得られる。
図６において斜線で示した領域は各貯水溝と各誘導溝である。
【００１８】
実施例３の筐体構造を図７に示した。放音孔は、横長のものに限定されるものではないので、この実施例においては、図７に示したように、丸孔の放音孔41としてもよい。
この場合、実施例１と同様に、放音孔41の上方には、放音孔41に接する貯水部43が形成されている。さらに、実施例１と同様に、縦方向に並んでいる複数の放音孔41を連通する誘導溝44が形成されている。図７において斜線で示した領域は各貯水溝と各誘導溝である。
この場合には、筐体１の外観意匠に、実施例１,２に対する特徴を持たせることができる。
【００１９】
実施例４の筐体構造を図８に示した。この実施例においては、実施例３のように丸孔の放音孔51とし、実施例１のように、横方向に並んでいる複数の放音孔51の上方で横方向に延びて、横方向に並んでいる各放音孔51に接する貯水部53を形成している。図８において斜線で示した領域は各貯水部と各誘導溝である。
この場合には、外観意匠の特徴と、優れた排水能力を得ることができる。
【産業上の利用可能性】
【００２０】
本発明の筐体構造は内部に発音手段を備えた各種の機器の筐体に利用することができる。
例えば、防水・防滴型通信機、屋外や浴室内用のオーディオ機器に利用することができる。
【図面の簡単な説明】
【００２１】
【図１】本発明にかかる筐体構造の実施の形態の要部の正面図である。
【図２】図１の側面断面図である。
【図３】前記筐体構造の要部を内側から見た図である。
【図４】図３の断面図であり、図４の（ａ）は図３のＡ−Ａ線断面図、図４の（ｂ）は図３のＢ−Ｂ線断面図である。
【図５】前記筐体構造の要部の一部断面斜視図である。
【図６】実施例２の筐体構造の要部を内側から見た図である。
【図７】実施例３の筐体構造の要部を内側から見た図である。
【図８】実施例４の筐体の要部を内側から見た図である。
【図９】従来例の筐体構造の要部の正面図である。
【図１０】図９のＣ−Ｃ線断面図である。
【符号の説明】
【００２２】
１  筐体
２  スピーカ、発音手段
４  スピーカネット
10  スピーカ領域
11Ａ  第１の放音孔
11Ｂ  第２の放音孔
11Ｃ  第３の放音孔
11Ｄ  第４の放音孔
12Ａ  第１領域
12Ｂ  第２領域
12Ｃ  第３領域
12Ｄ  第４領域
12Ｅ  第５領域
13Ａ  第１の貯水溝、貯水部
13Ｂ  第２の貯水溝、貯水部
13Ｃ  第３の貯水溝、貯水部
13Ｄ  第４の貯水溝、貯水部
14Ａ  第１の誘導溝
14Ｂ  第２の誘導溝
14Ｃ  第３の誘導溝
【図１】
2006101287.tif 000003
【図２】
2006101287.tif 000004
【図３】
2006101287.tif 000005
【図４】
2006101287.tif 000006
【図５】
2006101287.tif 000007
【図６】
2006101287.tif 000008
【図７】
2006101287.tif 000009
【図８】
2006101287.tif 000010
【図９】
2006101287.tif 000011
【図１０】
2006101287.tif 000012